(57)【要約】【課題】カフを用いて被験者に苦痛と不快感を与えずに脈波を連続的に検出しながら被験者を瞑想状態に誘導し、その前後での血圧値の変化を瞑想誘導の効果として報知する。【解決手段】電子血圧計は、カフが装着されている部位における被験者の脈波とカフ圧を検出し、検出されたカフ圧および脈波に基づいて被験者の血圧値を決定し、カフを通して脈波を検出可能な最小圧を決定し、カフ圧が最小圧に保持された状態で被験者を瞑想状態に誘導し、瞑想誘導中に検出された脈波を解析して、被験者の心拍間隔の揺らぎ度を示す最大リアプノフ指数を算出し、最大リアプノフ指数に基づいて、被験者が脳疲労、不安もしくは抑うつを感じる負の感情にあるか、または脳疲労、不安および抑うつを感じない正の感情にあるかを判定し、血圧測定および瞑想誘導を、血圧測定、瞑想誘導および血圧測定の順に実行させ、感情判定の結果および瞑想誘導の前後での血圧測定の結果を報知する。【選択図】図３
2020054639.tif 000002
【特許請求の範囲】
【請求項１】
カフと、
前記カフを加圧する加圧部と、
前記カフを減圧する減圧部と、
前記カフ内の空気の圧力であるカフ圧を検出する圧力検出部と、
制御回路で構成される制御部と、
報知部と、を有し、
前記制御部は、
前記カフが装着されている部位における被験者の脈波を検出する脈波検出部と、
検出されたカフ圧および脈波に基づいて被験者の血圧値を決定する血圧決定部と、
前記カフを通して脈波を検出可能な最小圧を決定する最小圧決定部と、
カフ圧が前記最小圧に保持された状態で被験者を瞑想状態に誘導する瞑想誘導部と、
前記瞑想誘導部による瞑想誘導の実行中に検出された脈波を解析して、被験者の心拍間隔の揺らぎ度を示す最大リアプノフ指数を算出する脈波解析部と、
前記最大リアプノフ指数に基づいて、被験者が脳疲労、不安もしくは抑うつを感じる負の感情にあるか、または脳疲労、不安および抑うつを感じない正の感情にあるかを判定する感情判定部と、
前記血圧決定部による血圧測定および前記瞑想誘導を、血圧測定、瞑想誘導および血圧測定の順に実行させる動作制御部と、を有し、
前記報知部は、前記感情判定部の判定結果および前記瞑想誘導の前後での血圧測定の結果を報知する、
ことを特徴とする電子血圧計。
【請求項２】
前記最小圧決定部は、前記減圧部が前記カフを減圧する過程における、カフ圧に重畳される脈波の波高値の減衰が飽和する点から脈波が消失する点までの期間内のカフ圧を、前記最小圧として決定する、請求項１に記載の電子血圧計。
【請求項３】
前記制御部は、前記瞑想誘導の実行中に検出された脈波の変動の大小に基づいて被験者が体を動かしたか否かを判定する体動判定部をさらに有し、
前記報知部は、被験者が体を動かしたと前記体動判定部が判定した場合に、被験者に静止するように注意喚起する、請求項１または２に記載の電子血圧計。
【請求項４】
前記瞑想誘導部は、前記瞑想誘導として、被験者が息を吸いかつ吸う速度よりも遅く息を吐く深呼吸を行うための呼吸パターンを生成する、請求項１〜３のいずれか一項に記載の電子血圧計。
【請求項５】
前記瞑想誘導部は、前記瞑想誘導として、呼吸の周期よりも長いフレーズを含む音楽を再生する、請求項１〜４のいずれか一項に記載の電子血圧計。
【請求項６】
前記報知部は、前記瞑想誘導の終了後に、前記瞑想誘導の期間において被験者が前記正の感情にあると前記感情判定部が判定した頻度を報知する、請求項１〜５のいずれか一項に記載の電子血圧計。
【請求項７】
前記報知部は、前記瞑想誘導の実行中に、一定時間ごとに前記感情判定部の判定結果を報知する、請求項６に記載の電子血圧計。
【請求項８】
電子血圧計および端末装置で構成される血圧測定システムであって、
前記電子血圧計は、
カフと、
前記カフを加圧する加圧部と、
前記カフを減圧する減圧部と、
前記カフ内の空気の圧力であるカフ圧を検出する圧力検出部と、
前記カフが装着されている部位における被験者の脈波を検出する脈波検出部と、
検出されたカフ圧および脈波に基づいて被験者の血圧値を決定する血圧決定部と、を有し、
前記端末装置は、
制御回路で構成される制御部と、
前記電子血圧計との通信部と、を有し、
前記制御部は、
前記電子血圧計が前記カフを通して脈波を検出可能な最小圧にカフ圧を保持した状態で、被験者を瞑想状態に誘導する瞑想誘導部と、
前記瞑想誘導部による瞑想誘導の実行中に検出された脈波を解析して、被験者の心拍間隔の揺らぎ度を示す最大リアプノフ指数を算出する脈波解析部と、
前記最大リアプノフ指数に基づいて、被験者が脳疲労、不安もしくは抑うつを感じる負の感情にあるか、または脳疲労、不安および抑うつを感じない正の感情にあるかを判定する感情判定部と、
前記血圧決定部による血圧測定および前記瞑想誘導を、血圧測定、瞑想誘導および血圧測定の順に実行させる動作制御部と、を有し、
前記電子血圧計および前記端末装置のいずれかが前記感情判定部の判定結果および前記瞑想誘導の前後での血圧測定の結果を報知する、
ことを特徴とする血圧測定システム。
【発明の詳細な説明】
【技術分野】
【０００１】
本発明は、電子血圧計および血圧測定システムに関する。
【背景技術】
【０００２】
特許文献１には、呼吸の訓練パターンをユーザにガイドし、ユーザの生体情報（脈波情報）を検出し、訓練パターンがガイドされる訓練期間に関連するタイミングで生体情報の検出を制御し、検出された生体情報に基づき呼吸訓練の目標である訓練指標を反映する特徴量（血圧値）を算出し、少なくとも２つの特徴量に基づき呼吸訓練の効果を表わす効果指標（血圧値の降下度）を算出してユーザに報知する呼吸訓練器が記載されている。
【０００３】
特許文献２には、カフ圧を拡張期血圧（最低血圧）より所定圧（約１０ｍｍＨｇ）低い一定圧にホールドし、その間の脈波検出手段からの出力より基底脈拍数を計算する血圧計が記載されている。特許文献３には、カフの圧力が血圧値決定手段により決定された平均血圧値より低い予め定められた圧力値に保持されている状態で脈波を検出する血圧測定装置が記載されている。
【先行技術文献】
【特許文献】
【０００４】
【特許文献１】特開２００７−１９０２７５号公報
【特許文献２】特開２００３−２６５４２０号公報
【特許文献３】特開平６−２９２６６０号公報
【発明の概要】
【発明が解決しようとする課題】
【０００５】
ストレス性の高血圧の場合には、深呼吸をしたり音楽を聴いたりして瞑想状態になると、自律神経が安定して血圧が下がる効果が得られる。このため、血圧計または血圧計と連動する装置で被験者を瞑想状態に誘導し、被験者が自律神経を安定させる自律訓練を行った効果（成果）として瞑想誘導の前後での血圧値の変化量を示すことが有効である。
【０００６】
瞑想誘導（自律訓練）の効果が得られれば、被験者の感情は、最初、脳疲労、不安もしくは抑うつを感じる負の感情であっても、脳疲労、不安および抑うつを感じない正の感情に変化する。また、こうした正負の感情には、脈波の間隔の揺らぎ度との間に相関がある。このため、瞑想誘導の効果を見るには、特許文献１の呼吸訓練器のように単純に呼吸訓練を行ってその前後の血圧変化を見るのではなく、瞑想誘導中に被験者の脈波を連続的に検出して解析する必要がある。
【０００７】
オシロメトリック方式の一般的な血圧計は、脈波を検出する装置であるが、カフにより手首や上腕を圧迫し、減圧中における脈波の波高値の変化に基づいて血圧値を測定する。このため、一般的な血圧計を使用して脈波を検出しながら瞑想誘導を行うと、誘導中の例えば数分間にわたってカフで被験者を締め付け続けることになり、被験者が苦痛を感じるため、自律神経の安定が阻害され、自律訓練が成立しなくなってしまう。瞑想誘導中に、特許文献２，３の血圧計のようにカフ圧を最低血圧や平均血圧よりも一定量低く保持したとしても、被験者の血圧が高い場合にはその保持されるカフ圧も高くなるため、結局被験者は苦痛を感じてしまう。
【０００８】
瞑想誘導（自律訓練）の実行中に被験者に苦痛と不快感を与えずに脈波を検出するには、脈波検出用の電極やマイクロ波を検出するセンサを別途用意し、それを併用して脈波や心電を計測することが考えられる。しかしながら、この場合には、装置の製造コストが高くなるし、被験者が自律訓練中に電極を握り続けたり、妨害電波対策のため携帯電話の電源をＯＦＦにしたり、脈波検出用のセンサのハンドリングを気にしたりする心理的負荷が増える恐れがある。
【０００９】
そこで、本発明は、カフを用いて被験者に苦痛と不快感を与えずに脈波を連続的に検出しながら被験者を瞑想状態に誘導し、その前後での血圧値の変化を瞑想誘導の効果として報知する電子血圧計および血圧測定システムを提供することを目的とする。
【課題を解決するための手段】
【００１０】
カフと、カフを加圧する加圧部と、カフを減圧する減圧部と、カフ内の空気の圧力であるカフ圧を検出する圧力検出部と、制御回路で構成される制御部と、報知部とを有し、制御部は、カフが装着されている部位における被験者の脈波を検出する脈波検出部と、検出されたカフ圧および脈波に基づいて被験者の血圧値を決定する血圧決定部と、カフを通して脈波を検出可能な最小圧を決定する最小圧決定部と、カフ圧が最小圧に保持された状態で被験者を瞑想状態に誘導する瞑想誘導部と、瞑想誘導部による瞑想誘導の実行中に検出された脈波を解析して、被験者の心拍間隔の揺らぎ度を示す最大リアプノフ指数を算出する脈波解析部と、最大リアプノフ指数に基づいて、被験者が脳疲労、不安もしくは抑うつを感じる負の感情にあるか、または脳疲労、不安および抑うつを感じない正の感情にあるかを判定する感情判定部と、血圧決定部による血圧測定および瞑想誘導を、血圧測定、瞑想誘導および血圧測定の順に実行させる動作制御部とを有し、報知部は、感情判定部の判定結果および瞑想誘導の前後での血圧測定の結果を報知する電子血圧計が提供される。
【００１１】
最小圧決定部は、減圧部がカフを減圧する過程における、カフ圧に重畳される脈波の波高値の減衰が飽和する点から脈波が消失する点までの期間内のカフ圧を、最小圧として決定することが好ましい。
【００１２】
制御部は、瞑想誘導の実行中に検出された脈波の変動の大小に基づいて被験者が体を動かしたか否かを判定する体動判定部をさらに有し、報知部は、被験者が体を動かしたと体動判定部が判定した場合に、被験者に静止するように注意喚起することが好ましい。
【００１３】
瞑想誘導部は、瞑想誘導として、被験者が息を吸いかつ吸う速度よりも遅く息を吐く深呼吸を行うための呼吸パターンを生成することが好ましい。瞑想誘導部は、瞑想誘導として、呼吸の周期よりも長いフレーズを含む音楽を再生することが好ましい。
【００１４】
報知部は、瞑想誘導の終了後に、瞑想誘導の期間において被験者が正の感情にあると感情判定部が判定した頻度を報知することが好ましい。報知部は、瞑想誘導の実行中に、一定時間ごとに感情判定部の判定結果を報知することが好ましい。
【００１５】
また、電子血圧計および端末装置で構成される血圧測定システムであって、電子血圧計は、カフと、カフを加圧する加圧部と、カフを減圧する減圧部と、カフ内の空気の圧力であるカフ圧を検出する圧力検出部と、カフが装着されている部位における被験者の脈波を検出する脈波検出部と、検出されたカフ圧および脈波に基づいて被験者の血圧値を決定する血圧決定部とを有し、端末装置は、制御回路で構成される制御部と、電子血圧計との通信部とを有し、制御部は、電子血圧計がカフを通して脈波を検出可能な最小圧にカフ圧を保持した状態で、被験者を瞑想状態に誘導する瞑想誘導部と、瞑想誘導部による瞑想誘導の実行中に検出された脈波を解析して、被験者の心拍間隔の揺らぎ度を示す最大リアプノフ指数を算出する脈波解析部と、最大リアプノフ指数に基づいて、被験者が脳疲労、不安もしくは抑うつを感じる負の感情にあるか、または脳疲労、不安および抑うつを感じない正の感情にあるかを判定する感情判定部と、血圧決定部による血圧測定および瞑想誘導を、血圧測定、瞑想誘導および血圧測定の順に実行させる動作制御部とを有し、電子血圧計および端末装置のいずれかが感情判定部の判定結果および瞑想誘導の前後での血圧測定の結果を報知する血圧測定システムが提供される。
【発明の効果】
【００１６】
上記の電子血圧計および血圧測定システムは、カフを用いて被験者に苦痛と不快感を与えずに脈波を連続的に検出しながら被験者を瞑想状態に誘導し、その前後での血圧値の変化を瞑想誘導の効果として報知することができる。
【図面の簡単な説明】
【００１７】
【図１】電子血圧計１の外観を示す模式図である。
【図２】電子血圧計１のブロック図である。
【図３】電子血圧計１でのカフ圧の制御を説明するためのグラフである。
【図４】脈波解析部４２の機能を説明するためのグラフである。
【図５】表示部１３の表示画面の例を示す図である。
【図６】電子血圧計１の制御部３０の動作例を示すフローチャートである。
【図７】血圧測定システム１’の全体構成図である。
【発明を実施するための形態】
【００１８】
以下、図面を参照しつつ、電子血圧計および血圧測定システムを説明する。ただし、本発明は図面または以下に記載される実施形態には限定されないことを理解されたい。
【００１９】
図１は、電子血圧計１の外観を示す模式図である。電子血圧計１は、本体１０およびカフ６０を有し、本体１０にはヘッドホン７０が接続されている。電子血圧計１は、被験者が自律神経を安定させる自律訓練を行うために被験者を瞑想状態に誘導する自律訓練瞑想装置であり、瞑想誘導の前後に血圧測定を行って、誘導前後での血圧値の変化量を自律訓練の効果として報知する。瞑想誘導として、電子血圧計１は、呼吸誘導と音楽再生の両方を行うが、これらのうちの一方だけを行ってもよい。電子血圧計１は、脈波を検出可能な最小のカフ圧を瞑想誘導前の血圧測定時に決定し、瞑想誘導中のカフ圧をその最小圧に保つことで、瞑想誘導中に被験者に苦痛と不快感を与えずに脈波を検出し、脈波の解析による被験者の感情判定の結果も併せて報知する。
【００２０】
カフ６０は、本体１０から送られる空気を溜める空気袋を内蔵する。この空気袋は、空気管６１を介して本体１０に接続されている。空気管６１は、本体１０からカフ６０に空気を送り込むための管である。カフ６０は、例えば、使用時に被験者の上腕に巻き付けられ、カフ６０の表面に設けられた面ファスナにより上腕に固定される。なお、電子血圧計は、上腕に限らず、例えば手首など、身体の他の部位に取り付けて使用するものであってもよい。
【００２１】
ヘッドホン７０は、被験者が瞑想誘導中に再生される音楽を聴くためのものである。被験者はヘッドホンの代わりにイヤホンを使用してもよいし、あるいは、本体１０に音楽再生用のスピーカを設置してもよい。
【００２２】
図２は、電子血圧計１のブロック図である。本体１０は、電源スイッチ１１（図１を参照）、操作部１２、表示部１３、加圧部２１、減圧部２２、カフ圧検出部２３、制御部３０およびメモリ５０を有する。加圧部２１、減圧部２２およびカフ圧検出部２３は、空気管６１を介してカフ６０に接続されている。電子血圧計１の機能ブロックは、血圧測定部２０と自律訓練部４０に大別される。血圧測定部２０は、操作部１２、加圧部２１、減圧部２２、カフ圧検出部２３および制御部３０で構成され、自律訓練部４０は、表示部１３、制御部３０およびメモリ５０で構成される。
【００２３】
図１に示すように、電源スイッチ１１は、一例として、正面から見て上側の本体１０の側面に設けられている。電子血圧計１は図示しない電池によって動作するが、電源は電池に限らず、交流電源であってもよい。操作部１２は、一例として、測定ボタン１２Ａ、設定ボタン１２Ｂおよび選択ボタン１２Ｃで構成され、図示した例では、本体１０の正面下側に設けられている。測定ボタン１２Ａは、使用者（被験者）が血圧測定の開始／停止を指示するためのボタンであり、設定ボタン１２Ｂは、使用者が電子血圧計１の動作に必要な情報を入力するためのボタンである。選択ボタン１２Ｃは、使用者が入力項目を選択するための＋ボタンと−ボタンである。
【００２４】
表示部１３は、報知部の一例であり、例えば液晶表示パネル（ＬＣＤ）で構成される。表示部１３は、測定中の血圧値や、最高血圧値、最低血圧値および脈拍の測定結果、呼吸誘導の際に被験者に呼吸のタイミングを示すために必要な情報、感情判定の結果、瞑想誘導（自律訓練）の効果を示す各種メッセージなどを表示する（後述する図５を参照）。表示部１３はタッチパネルディスプレイであってもよく、この場合、電源スイッチ１１や操作部１２は表示部１３と一体化していてもよい。なお、報知部はヘッドホン７０やそれに代わるスピーカなどの音声出力部であってもよく、あるいは、外部機器へデータ出力するための通信部や接続端子であってもよい。
【００２５】
加圧部２１は、カフ６０に空気を送り込むことによってカフ６０の空気袋の内部を加圧する加圧ポンプと、制御部３０の制御信号に基づいて加圧ポンプを駆動する駆動回路とで構成される。減圧部２２は、例えば、加圧されたカフ６０内の空気を血圧測定中に定速（低速）で排気し、所定の圧力でリークを停止して一定の圧力に保持し、測定終了時および中止時にカフ６０内の空気を強制排気（完全排気）する電磁スローリーク弁と、制御部３０の制御信号に基づいて電磁スローリーク弁を開閉させる駆動回路とで構成される。カフ圧検出部２３は、圧力検出部の一例であり、カフ６０の空気袋内の圧力（カフ圧）を検出する圧力センサと、圧力センサが生成した検出信号を周波数信号に変換して制御部３０に出力する検出回路とで構成される。カフ圧は、この周波数の変化から算出される。
【００２６】
図３（Ａ）〜図３（Ｃ）は、電子血圧計１でのカフ圧の制御を説明するためのグラフである。グラフの横軸ｔは時間を、縦軸Ｐ（ｍｍＨｇ）は圧力を表す。曲線ａはカフ圧の時間変化を、棒グラフｂはカフ圧に重畳して検出される脈波（微分脈波）の時間変化を表す。図３（Ａ）は瞑想誘導前の血圧測定時の、図３（Ｂ）は瞑想誘導中の、図３（Ｃ）は瞑想誘導後の血圧測定時のグラフである。図３（Ａ）〜図３（Ｃ）でグラフの横軸が連続しているのは、瞑想誘導とその前後の血圧測定が時間的に連続して実施されるためである。
【００２７】
電子血圧計１は、被験者の上腕をカフ６０で加圧し、脈波がない状態からカフ６０内の空気を徐々に排気して、減圧時のカフ圧の曲線ａに重畳される微分脈波の波高値の差分ΔＰから最高血圧値と最低血圧値を算出するオシロメトリック方式の血圧計である。血圧測定時のカフ圧は、図３（Ａ）に曲線ａで示すように、最初に加圧により上昇し、そこから定速排気により徐々に減少して、最後に強制排気により急速に減少する。血圧測定時の脈波は、図３（Ａ）に棒グラフｂで示すように、最初は過剰に加圧されているために検出されず、減圧過程で徐々に検出されるようになり、減圧が進むと再び検出できなくなるため消失する。
【００２８】
図３（Ａ）の符号Ｐ１は、減圧過程で脈波の波高値が変化しなくなる（飽和する）時点を示し、符号Ｐ２は、さらに減圧が進んで脈圧が消失する時点を示す。矢印ＴＡで示す符号Ｐ１，Ｐ２間は、ほとんどカフ圧がかかっていないが脈波を検出可能な領域であり、最高血圧値と最低血圧値の決定後もさらに定速排気を継続した場合に見られる。この領域では、カフ６０の空気袋内に空気が残っているが、カフ６０の弾性力と大気圧が釣り合っているため、被験者にとっては皮膚に圧力が感じられない。通常、血圧値の決定後はそれ以上定速排気を継続する必要がなく、一般的な血圧計では、血圧値が決定された時点でカフ内の空気を強制排気するため、領域ＴＡは見られない。これに対し、電子血圧計１は、瞑想誘導の実施前の血圧測定で、最高血圧値と最低血圧値を決定した後も定速排気を継続して領域ＴＡ（脈波検出最小圧領域）のカフ圧を求め、その後で強制排気を行って測定を終了する。
【００２９】
図３（Ｂ）の矢印ＴＢは、瞑想誘導の実施中の期間を示す。瞑想誘導の実施中には、電子血圧計１は、カフ圧を先に求めた領域ＴＡ内の圧力Ｐｘに保持する。すなわち、電子血圧計１は、脈波を検出可能な最小圧Ｐｘでカフ６０を加圧し続け、被験者にとってカフ６０の締め付けによる苦痛や不快感がない状態で脈波を検出しながら、瞑想誘導を行う。
【００３０】
さらに、図３（Ｃ）に示すように、電子血圧計１は、瞑想誘導の実施後にも再度血圧測定を行う。この２回目の血圧測定は、一般的な血圧計での測定と同じである。
【００３１】
以下では、図２に示す残りの構成要素について説明する。制御部３０は、ＣＰＵ、ＲＡＭおよびＲＯＭを含むマイクロコンピュータの制御回路として構成され、電子血圧計１の動作を制御する。血圧測定部２０は、制御部３０のＣＰＵにより実現される機能ブロックとして、カフ圧制御部３１、脈波検出部３２、血圧決定部３３、最小圧決定部３４および体動判定部３５を有する。自律訓練部４０は、制御部３０のＣＰＵにより実現される機能ブロックとして、モード制御部４１、脈波解析部４２、感情判定部４３、呼吸誘導部４４、音楽再生部４５および効果判定部４６を有する。
【００３２】
メモリ５０は、例えばＥＥＰ−ＲＯＭなどの不揮発性メモリであり、電子血圧計１の動作に必要な情報を記憶する。特に、メモリ５０は、血圧決定部３３が決定した最大血圧値、最小血圧値および脈拍、ならびに感情判定部４３による感情判定の結果を記憶する。
【００３３】
カフ圧制御部３１は、使用者（被験者）が測定ボタン１２Ａを操作して血圧測定の開始を指示したときに、カフ圧が所定の加圧上限圧力になるまで加圧部２１にカフ６０を加圧させ、減圧部２２にカフ６０内の空気を定速で排気させる。そして、カフ圧制御部３１は、脈波を検出可能な最小圧Ｐｘを最小圧決定部３４が求めた後で、減圧部２２にカフ６０内の空気を強制排気させる。次の瞑想誘導では、カフ圧制御部３１は、カフ圧が最小圧Ｐｘになるまで加圧部２１にカフ６０を加圧させ、瞑想誘導の期間ＴＢの間そのカフ圧を保持した後で、減圧部２２に強制排気をさせる。続く瞑想誘導後の血圧測定時には、カフ圧制御部３１は、再びカフ圧が加圧上限圧力になるまで加圧部２１にカフ６０を加圧させ、減圧部２２に定速排気をさせ、血圧値の決定後に減圧部２２に強制排気をさせる。
【００３４】
なお、カフ圧制御部３１は、瞑想誘導の前後で減圧部２２に強制排気をさせなくてもよい。この場合、カフ圧制御部３１は、１回目の血圧測定時に最小圧決定部３４が最小圧Ｐｘを求めたら、瞑想誘導が終了し２回目の血圧測定が始まるまでカフ圧を最小圧Ｐｘに保持し、２回目の血圧測定時では、最小圧Ｐｘから加圧上限圧力までカフ６０を加圧させてもよい。
【００３５】
脈波検出部３２は、カフ圧検出部２３が生成した周波数信号の周波数の変化に基づいて、カフ６０が装着されている部位における被験者の脈波を検出する。
【００３６】
血圧決定部３３は、カフ圧検出部２３により検出されたカフ圧や、脈波検出部３２により検出された各脈波の開始圧力値およびその測定時間に基づき、オシロメトリック法を利用して、被験者の最大血圧値、最小血圧値および脈拍を算出する。血圧決定部３３は、決定した最大血圧値、最小血圧値および脈拍を表示部１３に表示させるとともにメモリ５０に記憶させる。
【００３７】
最小圧決定部３４は、測定ボタン１２Ａが操作された後の１回目（瞑想誘導の実施前）の血圧測定時に、減圧部２２がカフ６０を定速排気で減圧する過程で、カフ６０を通して脈波を検出可能な最小圧を決定する。その際、最小圧決定部３４は、まず、脈波検出部３２により検出される微分脈波の波高値の差分ΔＰが予め定められたしきい値未満になる点、すなわち、カフ圧に重畳される脈波の波高値の減衰が飽和する点（図３（Ａ）の点Ｐ１）を検出し、そのときのカフ圧をＰ１として記憶する。また、最小圧決定部３４は、差分ΔＰが再びしきい値以上になる点、すなわち、カフ６０がさらに減圧されることで脈波が消失する点（図３（Ａ）の点Ｐ２）を検出し、そのときのカフ圧をＰ２として記憶する。さらに、最小圧決定部３４は、カフ圧Ｐ１，Ｐ２の平均値（図３（Ａ）の領域ＴＡにおけるカフ圧の平均値）を算出し、その値を最小圧Ｐｘとして記憶する。
【００３８】
なお、上記の最小圧決定部３４の制御は、カフを加圧する過程で血圧値を測定する血圧計でも、各値の決定順序が逆になる（この場合、カフ圧Ｐ２，Ｐ１、平均値Ｐｘ、血圧値の順に決定される）だけで、同様に実行可能である。
【００３９】
体動判定部３５は、脈波検出部３２により検出された脈波の変動の大小に基づいて、被験者が体を動かしたか否かを判定する。電子血圧計１では、瞑想誘導中もカフ６０を通して脈波を検出でき、体動があると脈波に静止時とは異なる変動が生じるので、被験者の体動も検出可能である。体動があると瞑想誘導（自律訓練）の妨げになるので、体動判定部３５は、特に瞑想誘導の実行中に被験者の体動の有無を判定するが、血圧測定中にも同様に判定してもよい。その際、体動判定部３５は、微分脈波の波高値の差分ΔＰが予め定められたしきい値以上になったときに体動ありと判定し、差分ΔＰがしきい値未満のときには体動なしと判定する。体動判定部３５は、体動ありと判定した場合には、例えば「動かないで下さい！」などの警告メッセージを表示部１３に表示させたり音声出力させたりすることで、被験者に静止するように注意喚起する。
【００４０】
モード制御部４１は、動作制御部の一例であり、使用者（被験者）により測定ボタン１２Ａが操作されると、血圧測定、瞑想誘導および血圧測定の順に各動作が実行されるように他の機能ブロックを制御する。すなわち、モード制御部４１は、カフ圧制御部３１や血圧決定部３３に１回目の血圧測定を実行させ、次に、カフ圧制御部３１にカフ圧を最小圧Ｐｘに保持させるとともに、感情判定部４３や呼吸誘導部４４、音楽再生部４５などに後述する感情判定や瞑想誘導を実行させ、さらに、カフ圧制御部３１や血圧決定部３３に２回目の血圧測定を実行させる。
【００４１】
図４（Ａ）および図４（Ｂ）は、脈波解析部４２の機能を説明するためのグラフである。このうち、図４（Ａ）は脈波ＰＷの波形例を示し、横軸ｔは時間（ミリ秒）、縦軸Ａは脈波の振幅の強さである。図４（Ａ）に示すように、脈波ＰＷは、心臓の拍動による血流量の変動を反映した三角波状であり、最も血流量が強いピーク点Ｐ１〜Ｐｎの間隔を脈波間隔ｄ１〜ｄｎとする。
【００４２】
図４（Ｂ）は、脈波間隔の揺らぎ度の例を示すグラフである。このグラフはローレンツプロットと呼ばれ、横軸を脈波間隔ｄｎ、縦軸を脈波間隔ｄｎ−１（ともに単位はミリ秒）とし、ｎ＝１，２，・・・について座標（ｄｎ，ｄｎ−１）上に脈波間隔の時系列データをプロットしたものである。図４（Ｂ）のグラフにおけるドットのバラつき度合いが被験者の正負の感情や脳疲労度を反映することが知られている。
【００４３】
脈波解析部４２は、瞑想誘導の実行中に被験者の脈波ＰＷのピーク点Ｐ１〜Ｐｎを検出し、脈波間隔ｄ１〜ｄｎをミリ秒単位で算出し、さらに脈波間隔ｄ１〜ｄｎから脈波間隔の時系列データを生成する。そして、脈波解析部４２は、その時系列データ、すなわち、図４（Ｂ）のローレンツプロットにおける座標（ｄｎ，ｄｎ−１）を用いて、以下の式１により、被験者の心拍間隔の揺らぎ度を示す最大リアプノフ指数λを算出する。
【数１】
2020054639.tif 000003
ここで、Ｍは脈波間隔ｄ１〜ｄｎにおける総サンプル時間、ｄは時系列データの時刻ｋと時刻ｋ−１とのパターン間距離（ローレンツプロットにおける２次元平面上の距離）である。
【００４４】
感情判定部４３は、脈波解析部４２により算出された最大リアプノフ指数λに基づいて、被験者が脳疲労、不安もしくは抑うつを感じる負の感情にあるか、または脳疲労、不安および抑うつを感じない正の感情にあるかを判定する。式１の最大リアプノフ指数λは、負の感情があると絶対値の大きな負の値になり、正の感情があると０以上または絶対値の小さな負の値になる。そこで、感情判定部４３は、算出された最大リアプノフ指数λが以下の式２を満たす場合に被験者が負の感情にあると判定し、λが式２を満たさない場合には、被験者が正の感情にあると判定する。
λ≦λｔ                          ・・・式２
ここで、λｔ（＜０）は、感情判定のために設定される適当なしきい値である。
【００４５】
脈波解析部４２および感情判定部４３は、瞑想誘導の実行中に、例えば数十秒間隔で最大リアプノフ指数λの算出と感情判定を行う。感情判定部４３は、判定を行うたびに、その結果（被験者が負の感情と正の感情のいずれにあるか）を表示部１３に表示させ、かつメモリ５０に記憶させる。感情判定部４３は、最大リアプノフ指数λの大小に応じて被験者の感情状態を例えば「ストレスフリー（正の感情）」、「活動中」、「軽疲労状態（軽い負の感情）」および「疲労状態（負の感情）」などの複数段階に分け、被験者がいずれの区分に属するかを表示部１３に表示させてもよい。
【００４６】
呼吸誘導部４４および音楽再生部４５は、瞑想誘導部の一例であり、カフ圧検出部２３によりカフ圧が最小圧Ｐｘに保持された状態で、呼吸誘導および音楽再生を行う。電子血圧計１は、これにより被験者を瞑想状態に誘導することで、被験者の自律神経を安定させ、負の感情を正の感情に変化させる。
【００４７】
呼吸誘導部４４は、被験者が息を吸いかつ吸う速度よりも遅く息を吐く深呼吸を行うための呼吸パターンを生成し、その呼吸パターンにおける息を吸うタイミングと息を吐くタイミングとを例えば表示部１３に表示させることで、被験者の意識を呼吸に集中させる。速く吸って遅く吐く深呼吸をすると、横隔膜が刺激され、結果として自律神経が安定するので、感情状態の改善に効果がある。この深呼吸は、例えば２秒で吸って６秒で吐くなど、吐く期間が吸う期間の２〜３倍となる呼気延長深呼吸であることが好ましい。呼吸誘導部４４は、例えば、後述する図５に示すように、吸う期間と吐く期間の最初から最後まで徐々に長さが変化するバーを表示させる。人は、動いているものや変化しているものに意識を集中する習性があるので、こうしたバーの変化を目で追わせることで、意識が表示や呼吸に集中し、負の感情のことを考えなくなる無心化の効果が得られる。
【００４８】
音楽再生部４５は、呼吸の周期よりも長いフレーズを含む音楽を再生することで、使用者の意識を音楽に集中させる。音楽再生部４５が再生する曲は、フレーズ周期が呼吸誘導部４４による呼吸誘導の周期よりも長い曲とする。これは、フレーズ周期が呼吸誘導の周期よりも短いと、表示部１３の表示バーではなく曲の方に呼吸が合ってしまい、呼吸誘導の効果が半減してしまうためである。
【００４９】
このフレーズ周期の条件に加えて、音楽再生部４５が再生する曲は、次の３つの条件のうち少なくとも１つを有することが好ましい。
（１）曲のテンポ音が４〜６ｋＨｚのビートで構成されている。
（２）曲の音階の周波数分布の中心が５２８Ｈｚである。
（３）曲のテンポの感覚的ＢＰＭ（Beats Per Minute）と安静心拍数のＢＰＭが一致する。
これらは、自律神経安定に効果があると言われている複数の曲が共通して有する条件である。（１）は、背骨および脳幹に共鳴し易いビート音の周波数が４〜６ｋＨｚであるためであり、（２）は、細胞が自己修復する周波数が５２８Ｈｚと言われているためである。（３）は、曲のテンポが心拍と一致していると安らぎが得られやすいためである。
【００５０】
（３）の条件を満たすために、音楽再生部４５は、被験者の脈波から算出される心拍数に合うように、音楽の再生速度を調整してもよい。例えば、３拍子の曲の場合には、感覚的テンポは物理的テンポ（実際のテンポ）の０．６６倍であるから、実際のテンポが１０１．６８ＢＰＭである曲の感覚的テンポは６６．９ＢＰＭである。成人の安静心拍数の平均は約６５ＢＰＭであるから、実際のテンポが１０１．６８ＢＰＭである曲を再生する場合には、音楽再生部４５は、心拍数に応じて曲の再生速度を微調整すればよい。
【００５１】
効果判定部４６は、呼吸誘導部４４および音楽再生部４５による瞑想誘導の終了後に、瞑想誘導による被験者の感情変動の有無を判定する。そのために、効果判定部４６は、メモリ５０を参照して、瞑想誘導の期間における正の感情の発生率（発生頻度）を算出し、その値を正感情達成率（負の感情から正の感情への改善度）として表示部１３に表示させる。正の感情の発生率は、（正の感情と判定された回数）／（感情判定部４３が判定を行った回数）で定義される値である。また、効果判定部４６は、メモリ５０を参照して、瞑想誘導の前後での最高血圧値の差分を算出し、その差分（血圧改善値）を表示部１３に表示させる。すなわち、効果判定部４６は、使用者（被験者）が瞑想誘導により自律訓練を行うことで血圧値および感情状態がどの程度改善されたかを使用者にフィードバックする。
【００５２】
さらに、効果判定部４６は、瞑想誘導前の最高血圧値、正感情達成率および血圧改善値の組合せに応じて、被験者がストレス性高血圧であるか否かを判定し、血圧に関する判定メッセージも表示部１３に表示させる。判定メッセージの例を表１に示す。特に、瞑想誘導前の最高血圧値が１４０ｍｍＨｇ以上の高血圧であり、正感情達成率が例えば５０％以上と高く、瞑想誘導後に最高血圧値が下がった場合には、瞑想で血圧が改善したため、効果判定部４６は、被験者がストレス性高血圧であると判定する。逆に、瞑想誘導前の最高血圧値が１４０ｍｍＨｇ未満の場合には、そもそも高血圧ではなく、血圧と瞑想を関連付ける必要がないので、効果判定部４６は、正感情達成率に応じて瞑想に関する判定メッセージを表示させる。
【００５３】
【表１】
2020054639.tif 000004
【００５４】
図５は、表示部１３の表示画面の例を示す図である。図示した例では、最高血圧値、最低血圧値および脈拍の測定結果１０１、呼吸誘導バー１０２、疲労度表示バー１０３、達成率バー１０４、血圧改善値１０５、判定メッセージ１０６および開始ボタン１０７が画面内に表示されている。
【００５５】
測定結果１０１は、血圧決定部３３が決定した最大血圧値、最小血圧値および脈拍の数値であり、血圧測定のたびに更新される。呼吸誘導バー１０２は、呼吸誘導部４４による呼吸誘導中に表示される円形のバーであり、吸う期間と吐く期間のそれぞれにおいて１２時の位置から時計回りに再び１２時の位置まで伸びるように変化する。疲労度表示バー１０３は、瞑想誘導の実施中および実施後に表示され、脳疲労を感じる負の感情の程度が強いほど、すなわち、脈波解析部４２が算出した最大リアプノフ指数λが小さいほど（負で絶対値が大きいほど）長くなる。疲労度表示バー１０３の上には、感情判定部４３による判定区分「軽疲労状態」も表示されている。
【００５６】
達成率バー１０４は、効果判定部４６が算出した瞑想誘導の期間における正の感情の発生率であり、その値が大きいほど長く表示される。達成率バー１０４の上には、正感情達成率（発生率）の数値も表示されている。血圧改善値１０５は、効果判定部４６が算出した瞑想誘導の前後での最高血圧値の差分であり、図示した例では数直線上の点で値の大小を示している（単位はｍｍＨｇである）。判定メッセージ１０６は、表１に示したものの中から効果判定部４６が選択して表示したものである。図示した例では、瞑想誘導前の最高血圧値が１４０ｍｍＨｇ以上の高血圧であり、正感情達成率が５０％以上であり、瞑想誘導後に最高血圧値が下がったため、被験者がストレス性高血圧であり瞑想で血圧が改善した旨が表示されている。達成率バー１０４は瞑想誘導後に表示され、血圧改善値１０５および判定メッセージ１０６は、２回目の血圧測定の後に表示される。
【００５７】
開始ボタン１０７は、使用者（被験者）が血圧測定の開始を指示するためのボタンである。表示部１３がタッチパネルディスプレイである場合には、このように、表示部１３内に操作ボタンを表示してもよい。
【００５８】
図６は、電子血圧計１の制御部３０の動作例を示すフローチャートである。図示した動作フローは、制御部３０のＲＯＭに予め記録されているプログラムに従って、制御部３０のＣＰＵにより実行される。
【００５９】
使用者（被験者）が例えば上腕にカフ６０を巻いて測定ボタン１２Ａを押下すると、瞑想誘導の実施前の血圧測定が開始される（Ｓ１）。その際、カフ圧制御部３１は、加圧部２１にカフ６０を加圧させ（Ｓ２）、続いて減圧部２２にカフ６０の減圧を開始させる（Ｓ３）。脈波は、加圧時（Ｓ２）には消失し、減圧開始（Ｓ３）により検出され始める。減圧中に、血圧決定部３３は最高血圧値および最低血圧値を測定し、最高血圧値Ｂｐｂをメモリ５０に記憶させる（Ｓ４）。
【００６０】
続いて、最小圧決定部３４は、微分脈波の波高値の差分ΔＰを算出し（Ｓ５）、例えば０．３ｍｍＨｇ／秒をしきい値として、差分ΔＰがしきい値未満になったら（Ｓ６でＹｅｓ）、そのときのカフ圧を領域ＴＡ（脈波検出最小圧領域）の上限圧Ｐ１として記憶する（Ｓ７）。さらに、最小圧決定部３４は、差分ΔＰが再びしきい値以上になったら（Ｓ８でＮｏ）、そのときのカフ圧を領域ＴＡ（脈波検出最小圧領域）の下限圧Ｐ２として記憶する（Ｓ９）。その後、カフ圧制御部３１は、減圧部２２にカフ６０を完全排気させ（Ｓ１０）、これで瞑想誘導の実施前の血圧測定は終了する。
【００６１】
最小圧決定部３４は、Ｓ７，Ｓ９で記憶した上限圧Ｐ１と下限圧Ｐ２の平均値Ｐｘを算出し（Ｓ１１）、これを瞑想誘導中のカフ６０の圧力保持点とする。瞑想誘導の実施時には、カフ圧制御部３１は、加圧部２１にカフ６０を圧力Ｐｘまで加圧させ（Ｓ１２）、脈波検出部３２は、瞑想誘導中の脈波の連続測定を開始する（Ｓ１３）。その際、脈波解析部４２は、一定時間ごとに脈波間隔の抽出を繰り返す（Ｓ１４）。また、呼吸誘導部４４および音楽再生部４５は、呼吸誘導と音楽再生による瞑想誘導を開始する（Ｓ１５）。瞑想誘導中には、呼吸誘導部４４は呼吸誘導を、音楽再生部４５は音楽再生を継続し、感情判定部４３は、一定時間ごとに感情分析（感情判定）を繰り返し、その結果を誘導効果として表示部１３に表示させる（Ｓ１６）。
【００６２】
また、瞑想誘導中には、体動判定部３５は、微分脈波の波高値の差分ΔＰを算出し、差分ΔＰが予め定められたしきい値（例えばＳ６，Ｓ８のときと同じ０．３ｍｍＨｇ／秒）以上になったときに、体動ありと判定して警告メッセージを一定時間、表示部１３に表示させる（Ｓ１６）。瞑想誘導の終了時間になると、脈波解析部４２、感情判定部４３、呼吸誘導部４４および音楽再生部４５は動作を終了し（Ｓ１７）、効果判定部４６は、瞑想誘導の期間における正の感情の発生率（正感情達成率）を算出する（Ｓ１８）。その後、カフ圧制御部３１は、減圧部２２にカフ６０を完全排気させ（Ｓ１９）、これで瞑想誘導は終了する。
【００６３】
続いて、瞑想誘導の実施後の血圧測定が開始される（Ｓ２０）。その際、カフ圧制御部３１は、加圧部２１にカフ６０を加圧させ（Ｓ２１）、続いて減圧部２２にカフ６０の減圧を開始させる（Ｓ２２）。減圧中に、血圧決定部３３は最高血圧値および最低血圧値を測定し、最高血圧値Ｂｐａをメモリ５０に記憶させる（Ｓ２３）。その後、カフ圧制御部３１は、減圧部２２にカフ６０を完全排気させ（Ｓ２４）、これで瞑想誘導の実施後の血圧測定は終了する。さらに、効果判定部４６は、Ｓ４，Ｓ２３で記憶した瞑想誘導の前後での最高血圧値の差分ΔＢｐ＝Ｂｐａ−Ｂｐｂを算出し（Ｓ２５）、その差分（血圧改善値）、Ｓ１８で算出した正感情達成率、およびそれらに応じた判定メッセージを表示部１３に表示させる（Ｓ２６）。その後、使用者（被験者）がカフ６０を外して、以上で電子血圧計１の制御部３０の動作は終了する。
【００６４】
電子血圧計１では、脈波検出用の電極やマイクロ波を検出するセンサなどは必要なく、カフ６０を用いて被験者に苦痛と不快感を与えずに脈波を連続的に検出しながら被験者を瞑想状態に誘導し、その前後での血圧値の変化を瞑想誘導の効果として報知することができる。また、電子血圧計１では、脈波の変動から被験者の体動も検出できるため、瞑想誘導中の被験者の動きを止めさせることで、瞑想誘導の効果を高めることができる。
【００６５】
図７は、血圧測定システム１’の全体構成図である。血圧測定システム１’は、通信リンク８０を介して相互に通信可能な電子血圧計２および端末装置３で構成される。端末装置３は、例えば、タブレット端末やスマートホンなどの携帯端末か、あるいはＰＣであり、電子血圧計２との通信部および制御部、ならびに表示部１３’を有する。端末装置３には、被験者が瞑想誘導の音楽を聴くためのヘッドホン７０が接続されている。電子血圧計２は、カフ６０および図２に示した血圧測定部２０の機能ブロックを有し、端末装置３は、図２に示した自律訓練部４０の機能ブロックを有する。ただし、血圧測定部２０の最小圧決定部３４および体動判定部３５の機能は、端末装置３の制御部で実現してもよい。通信リンク８０は、有線通信でもよいが、無線ＬＡＮまたはＢｌｕｅｔｏｏｔｈ（登録商標）などの無線通信で実現するとよい。
【００６６】
血圧測定システム１’では、使用者が電子血圧計２の操作部（開始ボタン）１２を押下すると普通の血圧測定が行われ、使用者が端末装置３の表示部１３’に表示されるリンクボタン１２’を押下すると、電子血圧計１と同じ血圧測定、瞑想誘導および血圧測定の動作が行われる。血圧測定システム１’では、例えば、最高血圧値、最低血圧値および脈拍の測定結果（図５の測定結果１０１）は電子血圧計２の表示部１３に表示され、その他のもの（図５の呼吸誘導バー１０２、疲労度表示バー１０３、達成率バー１０４、血圧改善値１０５および判定メッセージ１０６）は端末装置３の表示部１３’に表示される。ただし、これらの情報は、電子血圧計２と端末装置３のどちらの表示部で表示してもよい。
【００６７】
血圧測定システム１’の形態であれば、電子血圧計１の制御部３０の機能を端末装置３のソフトウェアで行うことで、外部機器と通信可能な既存の電子血圧計を用いて、電子血圧計１と同じ機能を実現することができる。
【符号の説明】
【００６８】
１，２    電子血圧計
１’    血圧測定システム
３    端末装置
１０    本体
１２    操作部
１３，１３’    表示部
２０    血圧測定部
２１    加圧部
２２    減圧部
２３    カフ圧検出部
３０    制御部
３１    カフ圧制御部
３２    脈波検出部
３３    血圧決定部
３４    最小圧決定部
３５    体動判定部
４０    自律訓練部
４１    モード制御部
４２    脈波解析部
４３    感情判定部
４４    呼吸誘導部
４５    音楽再生部
４６    効果判定部
５０    メモリ
６０    カフ
７０    ヘッドホン
【図１】
2020054639.tif 000005
【図２】
2020054639.tif 000006
【図３】
2020054639.tif 000007
【図４】
2020054639.tif 000008
【図５】
2020054639.tif 000009
【図６】
2020054639.tif 000010
【図７】
2020054639.tif 000011